(57)【要約】【課題】携帯通信端末に搭載されるハードディスクドライブ装置におけるデータ保護の信頼性を向上する。【解決手段】緩衝材４０は、たとえばスポンジ状のゴムなどのように弾性的に変形可能な部材であり、略コの字型の断面の内側でハードディスクドライブ装置２３の外周の周縁部分を保持している。緩衝材４０は、その外周面４１が第２筐体２の内面２ａに当接している。緩衝材４０は、第２筐体２２および第２基板２２によって挟持されている。これにより、第２筐体２に対するハードディスクドライブ装置２３の配設位置が決定される。バッテリ収納部２８に取り付けられたバッテリ２５とは第２筐体２の厚さ方向に重ならないように平面方向にずらしてハードディスクドライブ装置２３が配設される。【選択図】図１
2007164884.tif 000002
【特許請求の範囲】
【請求項１】
緩衝材を介して筐体内に取り付けられるハードディスクドライブ装置とバッテリ収納部とを備え、
前記バッテリ収納部にバッテリが配置されている際に、該バッテリが前記ハードディスクドライブ装置と前記筐体の厚さ方向に重ならないように平面方向にずらして配設されるように前記バッテリ収納部が設けられることを特徴とする携帯通信端末。
【請求項２】
ハードディスクドライブ装置とバッテリ収納部とを備え、
前記ハードディスクドライブ装置は、緩衝材を介して筐体内に取り付けられ、
前記ハードディスクドライブ装置の最も面積の広い第１面と平行であり、かつ、前記ハードディスクドライブ装置と前記緩衝材との少なくとも一方と交わり、かつ、前記バッテリ収納部にバッテリが配置されている際に該バッテリと交わる仮想平面、が少なくとも１つ存在するように前記バッテリ収納部を配設したことを特徴とする携帯通信端末。
【請求項３】
請求項１または請求項２に記載の携帯通信端末において、
前記筐体と回路基板とによって前記緩衝材を挟持して前記ハードディスクドライブ装置を固定することを特徴とする携帯通信端末。
【請求項４】
請求項１または請求項２に記載の携帯通信端末において、
前記緩衝材を前記筐体に当接させて前記ハードディスクドライブ装置を位置決めしたことを特徴とする携帯通信端末。
【請求項５】
請求項１または請求項２に記載の携帯通信端末において、
前記バッテリ収納部にバッテリが配置されている際に、前記ハードディスクドライブ装置が配設される領域と、前記バッテリとの間に熱伝達を妨げる仕切り部材をさらに備えることを特徴とする携帯通信端末。
【請求項６】
請求項１または請求項２に記載の携帯通信端末において、
前記バッテリ収納部にバッテリが配置されている際に、前記ハードディスクドライブ装置が配設された領域に面する前記バッテリの端面を含む平面よりも前記バッテリ側の前記筐体内に配設されたマイクをさらに備えることを特徴とする携帯通信端末。
【請求項７】
請求項１に記載の携帯通信端末において、
前記筐体に対して着脱可能な記録媒体の装着部をさらに備え、
前記バッテリ収納部にバッテリが配置されている際に、前記ハードディスクドライブ装置および前記バッテリと前記筐体の厚さ方向に重ならないように前記装着部を平面方向にずらして配設したことを特徴とする携帯通信端末。
【請求項８】
請求項２に記載の携帯通信端末において、
前記筐体に対して着脱可能な記録媒体の装着部をさらに備え、
前記仮想平面は、さらに前記装着部と交わることを特徴とする携帯通信端末。
【請求項９】
請求項１〜８のいずれか一項に記載の携帯通信端末において、
被写体像を撮像する撮像素子をさらに備えることを特徴とする携帯通信端末。
【発明の詳細な説明】
【技術分野】
【０００１】
本発明は、ハードディスクドライブ装置を備える携帯通信端末に関する。
【背景技術】
【０００２】
ハードディスクドライブ装置を備える携帯通信端末として、ハードディスクドライブ装置を搭載した携帯電話機が知られている（特許文献１参照）。
【０００３】
【特許文献１】特開２００５−２８４３３５号公報
【発明の開示】
【発明が解決しようとする課題】
【０００４】
しかし、この携帯電話機では、筐体に固定されたベース部に直接ハードディスクドライブ装置がネジで固定されているため、ハードディスクドライブ装置が外部からの衝撃の影響を受ける恐れがある。
【課題を解決するための手段】
【０００５】
（１）  請求項１の発明による携帯通信端末は、緩衝材を介して筐体内に取り付けられるハードディスクドライブ装置とバッテリ収納部とを備え、バッテリ収納部にバッテリが配置されている際に、該バッテリがハードディスクドライブ装置と筐体の厚さ方向に重ならないように平面方向にずらして配設されるようにバッテリ収納部が設けられることを特徴とする。
（２）  請求項２の発明による携帯通信端末は、ハードディスクドライブ装置とバッテリ収納部とを備え、ハードディスクドライブ装置は、緩衝材を介して筐体内に取り付けられ、ハードディスクドライブ装置の最も面積の広い第１面と平行であり、かつ、ハードディスクドライブ装置と緩衝材との少なくとも一方と交わり、かつ、バッテリ収納部にバッテリが配置されている際に該バッテリと交わる仮想平面、が少なくとも１つ存在するようにバッテリ収納部を配設したことを特徴とする。
（３）  請求項３の発明は、請求項１または請求項２に記載の携帯通信端末において、筐体と回路基板とによって緩衝材を挟持してハードディスクドライブ装置を固定することを特徴とする。
（４）  請求項４の発明は、請求項１または請求項２に記載の携帯通信端末において、緩衝材を筐体に当接させてハードディスクドライブ装置を位置決めしたことを特徴とする。
（５）  請求項５の発明は、請求項１または請求項２に記載の携帯通信端末において、バッテリ収納部にバッテリが配置されている際に、ハードディスクドライブ装置が配設される領域と、バッテリとの間に熱伝達を妨げる仕切り部材をさらに備えることを特徴とする。
（６）  請求項６の発明は、請求項１または請求項２に記載の携帯通信端末において、バッテリ収納部にバッテリが配置されている際に、ハードディスクドライブ装置が配設された領域に面するバッテリの端面を含む平面よりもバッテリ側の筐体内に配設されたマイクをさらに備えることを特徴とする。
（７）  請求項７の発明は、請求項１に記載の携帯通信端末において、筐体に対して着脱可能な記録媒体の装着部をさらに備え、バッテリ収納部にバッテリが配置されている際に、ハードディスクドライブ装置およびバッテリと筐体の厚さ方向に重ならないように装着部を平面方向にずらして配設したことを特徴とする。
（８）  請求項８の発明は、請求項２に記載の携帯通信端末において、筐体に対して着脱可能な記録媒体の装着部をさらに備え、仮想平面は、さらに装着部と交わることを特徴とする。
（９）  請求項９の発明は、請求項１〜８のいずれか一項に記載の携帯通信端末において、被写体像を撮像する撮像素子をさらに備えることを特徴とする。
【発明の効果】
【０００６】
本発明によれば、ハードディスクドライブ装置におけるデータ保護の信頼性を向上できる。
【発明を実施するための最良の形態】
【０００７】
図１〜４を参照して、本発明による携帯通信端末の一実施の形態を説明する。図１，２は、携帯通信端末の一例としての携帯電話機について、側面から見たときの断面構造を模式的に示した図である。携帯電話機１００は、ヒンジ部３を中心に互いに回動可能に軸支された第１筐体１と第２筐体２とを有する。すなわち、携帯電話機１００は、図１に示すように第１筐体１と第２筐体２とを開いて伸ばすことができ、また、図２に示すように携帯電話機１００の第１筐体１と第２筐体２とを閉じて折りたたむことができる。説明の便宜上、携帯電話機１００を折りたたんだ際に第１筐体１と第２筐体２とが対向する面をそれぞれ正面と呼ぶ。また、携帯電話機１００を折りたたんだ際に上述した正面とは反対側の面、すなわち、携帯電話機１００を折りたたんだ際に外側を向く面をそれぞれ背面と呼ぶ。
【０００８】
第１筐体１には、第１基板１１と、表示装置１２と、撮像ユニット１３とが設けられている。第１基板１１は、携帯電話機１００の各部を制御する基板であり、第１筐体１の背面側に配設されている。表示装置１２は、各種の表示を行うためのものであり、たとえば液晶表示装置などが用いられる。表示装置１２は、第１筐体１の正面に面するように配設されている。撮像ユニット１３は、レンズと撮像素子と撮像回路とを備えたカメラモジュールであり、ヒンジ部３とは反対側の回動先端側の近傍に、レンズ側を背面に向けた状態で配設されている。
【０００９】
第２筐体２には、入力部材２１と、第２基板２２と、ハードディスクドライブ装置２３と、マイク２４と、バッテリ収納部２８とが設けられている。また、後述するように、バッテリ収納部２８にはバッテリ２５が取り付けられる。入力部材２１は、ダイヤルボタンや、開始ボタン、通話終了ボタン、コマンドボタンなど、携帯電話機１００の各種操作を行うための操作ボタンであり、第２基板２２に設けられて、第２筐体２の正面から操作可能に配設されている。第２基板２２は、第１基板１１とともに携帯電話機１００の各部を制御する基板であり、第２筐体２の正面側に配設されている。第２基板２２には、上述のように、入力部材２１が配設されている。
【００１０】
ハードディスクドライブ装置２３は、電話番号や着信／発信履歴等のデータや、音声通話の録音データ、撮像ユニット１３で撮像した画像データ、ダウンロードした楽曲データなど、携帯電話機１００で扱う様々なデータを格納可能な記録媒体であり、緩衝材４０を介して、第２筐体２の内部に固定されている。第２筐体２に対するハードディスクドライブ装置２３の固定方法については、後に詳述する。マイク２４は、通話のための音声を集音するマイクであり、第２筐体２の正面側であって、ヒンジ部３とは反対側の回動先端側の近傍に設けられている。図３に示すように、第２筐体２の正面には、マイク２４へ通じる開口部２６が設けられている。
【００１１】
バッテリ２５は、携帯電話機１００に電力を供給する２次電池であり、第２筐体２の背面側であって、ヒンジ部３とは反対側の回動先端側に設けられたバッテリ収納部２８に着脱可能に取り付けられている。なお、バッテリ収納部２８にバッテリ２５が取り付けられると、第２筐体２とバッテリ２５とは、一体的に略直方体形状の外形を呈するように構成されている。すなわち、バッテリ収納部２８に取り付けられた際に第２筐体２の背面側に面するバッテリ２５の外表面２５ａは、第２筐体２の外装面と一体的に、携帯電話機１００の外観の一部を構成している。なお、第２筐体２の形状は、略直方体の形状から、バッテリ２５の形状に相当する領域を切り欠いた形状とされている。
【００１２】
このように構成される、携帯電話機１００では、音声通話や電子メールの送受信の他にも、表示装置１２を電子ビューファインダーとして、撮像ユニット１３によって被写体像を撮像できる。被写体像の画像データは、携帯電話網を介して、または、赤外線通信やBluetoothなどの通信手段によって、他の携帯電話機やパーソナルコンピュータなどの外部の機器に送信可能である。また、同様に外部の機器から画像データを受信可能である。
【００１３】
携帯電話機１００では、楽曲データのダウンロードおよび聴取なども可能である。また、携帯電話機１００は、図示はしていないが、テレビジョン放送やラジオ放送の受信回路を有しており、テレビジョン放送やラジオ放送を受信して再生できる。携帯電話機１００では、上述のように、携帯電話機１００で扱う様々なデータをハードディスクドライブ装置２３に格納可能である。
【００１４】
たとえば、携帯電話機１００では、通話内容をハードディスクドライブ装置２３に記録（録音）して読み出す（再生する）ことができる。携帯電話機１００では、撮像ユニット１３で撮像した被写体像の画像データをハードディスクドライブ装置２３に記録することができ、ハードディスクドライブ装置２３に記録された画像データを読み出して表示装置１２に表示させたり、電子メールに添付することなどによって上述のように外部に送信することができる。外部の機器から受信した画像データはハードディスクドライブ装置２３に記録される。
【００１５】
携帯電話機１００では、ダウンロードしたり、外部の機器から直接転送された楽曲データをハードディスクドライブ装置２３に記録して、再生することができる。携帯電話機１００では、受信したテレビジョン放送やラジオ放送の内容をハードディスクドライブ装置２３に記録（録画／録音）して再生することができる。携帯電話機１００では、たとえば会議の内容など、マイク２４で集音した音をハードディスクドライブ装置２３に記録して、再生したり、音声データファイルとして外部に送信することができる。
【００１６】
−−−ハードディスクドライブ装置２３の固定方法−−−
上述のように、ハードディスクドライブ装置２３は、緩衝材４０を介して第２筐体２の内部に固定されている。緩衝材４０は、たとえばスポンジ状のゴムなどのように弾性的に変形可能な部材であり、略コの字型の断面を有する（図１，２）。緩衝材４０は、略コの字型の断面の内側でハードディスクドライブ装置２３の外周の周縁部分を保持している。なお、図示はしないが、ハードディスクドライブ装置２３には、データの送受信を行うためのフレキシブルケーブルが設けられており、第２基板２２の不図示のコネクタに接続されている。緩衝材４０には、このフレキシブルケーブルを通すための逃げが設けられている。
【００１７】
図４に示すように、ハードディスクドライブ装置２３を保持する緩衝材４０は、その外周面４１が第２筐体２の内面２ａに当接している。これにより、緩衝材４０は、図４における紙面と平行な方向への移動が規制される。また、ハードディスクドライブ装置２３は、緩衝材４０を介して第２筐体２の内面２ａに当接した状態となるため、緩衝材４０と同様に、図４における紙面と平行な方向への移動が規制される。
【００１８】
また、ハードディスクドライブ装置２３を保持する緩衝材４０は、図１，２に示すように、背面側の面４２が第２筐体２の背面側の内面２ｂに当接している。緩衝材４０の正面側の面４３は、第２基板２２の背面側の面２２ａに当接している。すなわち、緩衝材４０は、第２筐体２２および第２基板２２によって挟持され、図１，２における紙面左右方向への移動が規制される。ハードディスクドライブ装置２３は、緩衝材４０を介して第２筐体２および第２基板２２によって挟持された状態となるため、緩衝材４０と同様に、図１，２における紙面左右方向への移動が規制される。このように、ハードディスクドライブ装置２３の図４における紙面と平行な方向、および、図１，２における紙面左右方向への移動が規制されるので、第２筐体２に対するハードディスクドライブ装置２３の配設位置が決定される。
【００１９】
なお、ハードディスクドライブ装置２３の表面のうち、第２筐体２の正面および背面と平行となる面、すなわち、ハードディスクドライブ装置２３の最も広い面２３ａ，２３ｂは、その構造上、面の中央近傍に押圧されるような力が掛かることを避ける必要がある。本実施の形態の携帯電話機１００では、図１，２に示すように、緩衝材４０がハードディスクドライブ装置の面２３ａ，２３ｂの周縁部分を覆っているため、面２３ａ，２３ｂは、第２筐体２の内面２ｂおよび第２基板２２の面２２ａから離間した状態となる。
【００２０】
これにより、入力部材２１が押圧されて第２基板２２が撓んでも、第２基板２２の面２２ａがハードディスクドライブ装置２３の面２３ａと接触することはない。したがって、面２３ａ，２３ｂに面した領域、すなわち、ハードディスクドライブ装置２３が設けられる領域に対して、図１，２の紙面左右方向（以下、単に厚さ方向と呼ぶ）で重なる領域にも操作ボタン２１を設けることができるので、携帯電話機１００を小型化できる。また、第２筐体２の背面が外力を受けて撓んでも、第２筐体２の内面２ｂがハードディスクドライブ装置２３の面２３ｂと接触することはない。
【００２１】
なお、上述のように、ハードディスクドライブ装置２３は、緩衝材４０を介して第２筐体２２に固定されている。そのため、携帯電話機１００に加えられた衝撃によるハードディスクドライブ装置２３への悪影響を抑制できる。また、第２筐体２２の撓みを緩衝材４０が吸収するので、ハードディスクドライブ装置２３は第２筐体２の曲げやねじれの影響を受けにくい。
【００２２】
−−−ハードディスクドライブ装置２３およびバッテリ２５の位置関係−−−
上述のように、ハードディスクドライブ装置２３は、ヒンジ部３の近傍の第２筐体２の内部に配設され、バッテリ２５は、第２筐体２に対して、ヒンジ部３とは反対側の回動先端側のバッテリ収納部２８に取り付けられている。すなわち、ハードディスクドライブ装置２３は、バッテリ収納部２８に取り付けられたバッテリ２５とは第２筐体２の厚さ方向に重ならないように平面方向にずらして配設されており、携帯電話機１００の正面または背面から見たときに、ハードディスクドライブ装置２３とバッテリ２５とは重ならない。これにより、携帯電話機１００を大型化することなく、ハードディスクドライブ装置２３を搭載できる。
【００２３】
また、図１に示すように、第１筐体１と第２筐体２とを開いて伸ばした状態（以下、単に開いた状態と呼ぶ）において、バッテリ収納部２８に取り付けられたバッテリ２５がハードディスクドライブ装置２３の下部に位置するように構成されている。バッテリ２５はハードディスクドライブ装置２３よりも重いが、このように開いた状態の携帯電話機１００の下方に重いバッテリ２５が位置する。これにより、開いた状態の携帯電話機１００の重心位置を下げることができ、開いた状態の携帯電話機１００を使用者が把持した際の重量バランスを向上できる。
【００２４】
なお、ハードディスクドライブ装置２３とバッテリ２５との厚さ方向の配設位置が大きく異なると、携帯電話機１００の厚みが増してしまうため、携帯電話機１００の薄型化という要請に反する。そこで、緩衝材４０を含めたハードディスクドライブ装置２３の厚さ方向の配設範囲内に、バッテリ２５の外表面２５ａ、または外表面２５ａと平行な内側表面２５ｂが位置するように、ハードディスクドライブ装置２３およびバッテリ収納部２８が配設されている。
【００２５】
換言すると、次の条件をすべて満たす仮想平面が、少なくとも１つ存在するようにハードディスクドライブ装置２３と緩衝材４０とバッテリ収納部２８とが配設されている。
（１）  ハードディスクドライブ装置２３の面２３ａ，２３ｂと平行である。
（２）  ハードディスクドライブ装置２３と緩衝材４０との少なくとも一方と交わる。
（３）  バッテリ収納部２８に取り付けられたバッテリ２５と交わる。
【００２６】
なお、上述した仮想平面が存在するように、ハードディスクドライブ装置２３とバッテリ収納部２８と配設した場合、携帯電話機１００の正面または背面から見たときに、ハードディスクドライブ装置２３とバッテリ２５とが重なることはない。このように、ハードディスクドライブ装置２３とバッテリ収納部２８とを配設することで、ハードディスクドライブ装置２３で発生した熱によるバッテリ２５への影響を抑制でき、バッテリ２５で発生した熱によるハードディスクドライブ装置２３への影響を抑制できる。また、ヒンジ部３とは反対側の回動先端側にバッテリ２５を取り付けるようにしたことで、バッテリ２５が第２筐体２に対して着脱し易くなる。
【００２７】
ハードディスクドライブ装置２３とバッテリ収納部２８に取り付けられたバッテリ２５との間には、第２筐体２の壁部２ｃが存在する。壁部２ｃは、ハードディスクドライブ装置２３とバッテリ２５との間の熱伝達を妨げる仕切り部材としての機能を有するため、ハードディスクドライブ装置２３およびバッテリ２５のいずれか一方で発生した熱は、いずれか他方へ伝達され難い。なお、緩衝材４０と当接する壁部２ｃの面は、上述した内面２ａであり、緩衝材４０およびハードディスクドライブ装置２３の配設位置を規定している。
【００２８】
−−−ハードディスクドライブ装置２３およびマイク２４の位置関係−−−
上述のように、ハードディスクドライブ装置２３は、ヒンジ部３の近傍の第２筐体２の内部に配設され、マイク２４は、第２筐体２に対して、ヒンジ部３とは反対側の回動先端側の近傍に設けられている。すなわち、マイク２４は、ハードディスクドライブ装置２３が設けられた領域から離れた位置に配設されている。
【００２９】
このようにマイク２４をハードディスクドライブ装置２３から離して配設することで、ハードディスクドライブ装置２３のアクセス音など、ハードディスクドライブ装置２３で発生する音が、マイク２４で集音されることを防止している。なお、マイク２４の配設位置は、必ずしもヒンジ部３とは反対側の回動先端側の近傍でなくてもよく、ハードディスクドライブ装置２３の配設領域に面した平面であってバッテリ収納部２８に取り付けられたバッテリ２５の端面を含む平面、よりもバッテリ２５側の第２筐体２内に配設さていればよい。
【００３０】
上述した携帯電話機１００では、次の作用効果を奏する。
（１）  バッテリ収納部２８に取り付けられたバッテリ２５とは第２筐体２の厚さ方向に重ならないように平面方向にずらして、緩衝材４０を介してハードディスクドライブ装置２３を配設するように構成した。これにより、携帯電話機１００を大型化することなく、ボタン操作や外部からの衝撃による、ハードディスクドライブ装置２３への影響を抑制できるので、ハードディスクドライブ装置２３におけるデータ保護の信頼性を向上できる。
【００３１】
（２）  緩衝材４０を介して第２筐体２および第２基板２２によってハードディスクドライブ装置２３を挟持するように構成した。これにより、簡単な構成で、ハードディスクドライブ装置２３を容易に固定できるので、携帯電話機１００を薄型化できる。
【００３２】
（３）  緩衝材４０が第２筐体２の内面２ａに当接することでハードディスクドライブ装置２３が位置決めされるように構成した。これにより、簡単な構成で、ハードディスクドライブ装置２３を位置決めできるので、携帯電話機１００を小型化できる。
【００３３】
（４）  略コの字型の断面を有する緩衝材４０でハードディスクドライブ装置４０の周縁部を支持するように構成した。これにより、ハードディスクドライブ装置２３が第２筐体２に直接接触することなく、弾性的に支持されるので、ハードディスクドライブ装置２３を外部の衝撃から保護してハードディスクドライブ装置の故障を防止できる。また、ハードディスクドライブ装置２３が第２基板２と離間するので操作ボタン２１の押圧操作の影響を受けず、操作ボタン２１の直下にハードディスクドライブ装置２３を配設できる。すなわち、ハードディスクドライブ装置２３が設けられる領域と厚さ方向で重なる領域に、従来の携帯電話機のように操作ボタンを設ない領域を確保する必要がないので、携帯電話機１００を小型化できる。
【００３４】
（５）  ハードディスクドライブ装置２３とバッテリ２５との間に、ハードディスクドライブ装置２３とバッテリ２５との間の熱伝達を妨げる仕切り部材としての機能を有する壁部２ｃを設けるように構成した。これにより、ハードディスクドライブ装置２３およびバッテリ２５の一方で発生した熱は、他方へ伝達され難くなり、熱に起因する故障を防止して、動作の信頼性を向上できる。
【００３５】
（６）  ハードディスクドライブ装置２３が設けられた領域から離れた位置にマイク２４が配設されるように構成した。これにより、マイク２４がハードディスクドライブ装置２３のアクセス音などを集音しないので、通話品質を向上できる。
【００３６】
（７）  撮像ユニット１３とハードディスクドライブ装置２３とを備えているので、多くの被写体像を撮像可能なカメラとしての機能を付与でき、携帯電話機１００の用途を多様化できる。また、記憶容量の残容量を気にすることなく、多くの被写体像を撮像できる。
【００３７】
−−−変形例−−−
（１）  上述の説明では、バッテリ収納部２８に取り付けられたバッテリ２５とは第２筐体２の厚さ方向に重ならないように平面方向にずらして、ハードディスクドライブ装置２３を配設しているが、本発明はこれに限定されない。たとえば、図５に示すように、バッテリ収納部２８に取り付けられたバッテリ２５とは第２筐体２の厚さ方向に重ならないように平面方向にずらして、ハードディスクドライブ装置２３と、バッテリ収納部２８と、メモリスロット２７とを配設してもよい。メモリスロット２７は、携帯電話機１００に対して着脱可能な記録媒体の装着部である。
【００３８】
上述の説明と同様に、ハードディスクドライブ装置２３を保持する緩衝材４０は、その外周面４１が第２筐体２の内面２ａに当接している。また、ハードディスクドライブ装置２３およびメモリスロット２７と、バッテリ収納部２８に取り付けられたバッテリ２５との間には、第２筐体２の壁部２ｄが存在する。壁部２ｄは、ハードディスクドライブ装置２３およびメモリスロット２７と、バッテリ２５との間の熱伝達を妨げる仕切り部材としての機能を有する。また、ハードディスクドライブ装置２３とメモリスロット２７との間には、壁部２ｅが存在する。壁部２ｅは、壁部２ｄと同様に、ハードディスクドライブ装置２３とメモリスロット２７との間の熱伝達を妨げる仕切り部材としての機能を有する。
【００３９】
このように、壁部２ｄ，２ｅによって、ハードディスクドライブ装置２３やバッテリ２５からメモリスロット２７への熱伝達を妨げるように構成されているので、メモリスロット２７に装着された記録媒体への熱による悪影響を防止して記録媒体の信頼性を向上できる。なお、緩衝材４０と当接する壁部２ｄ，２ｅの面は、上述した内面２ａであり、緩衝材４０およびハードディスクドライブ装置２３の配設位置を規定している。
【００４０】
（２）  上述の説明では、ハードディスクドライブ装置２３を備えるように構成しているが、本発明はこれに限定されない。ハードディスクドライブ装置２３以外の記憶装置として、たとえば、ＭＯやＣＤ−ＲＯＭ、ＤＶＤなどのように光や磁気を利用して記憶する装置を小型化した記憶装置を備えるように構成してもよい。
【００４１】
（３）  上述の説明では、緩衝材４０はハードディスクドライブ装置２３の周縁部分を略全周にわたって保持しているが、本発明はこれに限定されない。ハードディスクドライブ装置２３が緩衝材４０を介して第２筐体２に固定されるのであれば、ハードディスクドライブ装置の周縁部分の一部を緩衝材４０で保持するようにしてもよい。
【００４２】
（４）  上述の説明では、第２筐体２の形状は、略直方体の形状から、バッテリ２５の形状に相当する領域を切り欠いた形状とされているが、本発明はこれに限定されない。たとえば、第２筐体２の内部にバッテリ収納部を設けて、このバッテリ収納部にバッテリを取り付けるように構成してもよい。この場合、取り付けられたバッテリを覆うように、略直方体形状を呈する第２筐体２の一部である蓋を被せるように構成してもよい。
【００４３】
（５）  上述の説明では、緩衝材４０は、たとえばスポンジ状のゴムなどのように弾性的に変形可能な部材であるとしているが、ハードディスクドライブ装置２３に対する衝撃を吸収することができる材質であればよく、緩衝材４０には様々な素材を用いることができる。たとえば、衝撃を吸収するゲル状の素材によって緩衝材４０を構成することとしてもよい。
【００４４】
（６）  上述の説明では、携帯通信端末の一例としての携帯電話機について説明しているが、本発明はこれに限定されない。外部との通信機能を有する携帯通信端末であればよく、携帯電話機１００に限らない。
（７）  上述した各実施の形態および変形例は、それぞれ組み合わせてもよい。
【００４５】
なお、本発明は、上述した実施の形態のものに何ら限定されず、バッテリとは筐体の厚さ方向に重ならないように平面方向にずらして、緩衝材を介してハードディスクドライブ装置を配設することができる各種構造のものを含むものである。
【図面の簡単な説明】
【００４６】
【図１】開いた状態の携帯電話機１００を側面から見たときの断面構造を模式的に示した図である。
【図２】閉じた状態の携帯電話機１００を側面から見たときの断面構造を模式的に示した図である。
【図３】正面から見た第２筐体２を模式的に示した図である。
【図４】正面から見た第２筐体２の断面を模式的に示した図である。
【図５】変形例を示す図である。
【符号の説明】
【００４７】
１  第１筐体                          ２  第２筐体
２ａ  内面                            ２ｃ，２ｄ，２ｅ  壁部
１１  第１基板                        １２  表示装置
１３  撮像ユニット                    ２１  入力部材
２２  第２基板                        ２３  ハードディスクドライブ装置
２４  マイク                          ２５  バッテリ
２７  メモリスロット                  ２８  バッテリ収納部
４０  緩衝材                          １００  携帯電話機
【図１】
2007164884.tif 000003
【図２】
2007164884.tif 000004
【図３】
2007164884.tif 000005
【図４】
2007164884.tif 000006
【図５】
2007164884.tif 000007